(57)【要約】【課題】画像の劣化を抑制できる制御装置及びプロジェクターを提供すること。【解決手段】複数の画素により構成され、画像を形成する画像形成領域を有する表示装置（液晶パネル）４４２（４４２Ｒ，４４２Ｇ，４４２Ｂ）を、入力される画像情報に応じて制御する制御装置５であって、画像形成領域の複数部位にて予め測定され、印加電圧値と射出輝度とが関連付けられた入出力特性を、当該複数部位に応じてそれぞれ記憶する記憶手段６と、各入出力特性に基づいて、画像形成領域の駆動を制御する制御手段７とを備える。これによれば、画像形成領域において入出力特性が測定された複数の部位に応じた領域を、当該入出力特性に基づいて制御することができる。【選択図】図２
2010224361.tif 000002
【特許請求の範囲】
【請求項１】
複数の画素により構成され、画像を形成する画像形成領域を有する表示装置を、入力される画像情報に応じて制御する制御装置であって、
前記画像形成領域の複数部位にて予め測定され、印加電圧値と射出輝度とが関連付けられた入出力特性を、当該複数部位に応じてそれぞれ記憶する記憶手段と、
前記各入出力特性に基づいて、前記画像形成領域の駆動を制御する制御手段とを備えることを特徴とする制御装置。
【請求項２】
請求項１に記載の制御装置において、
前記複数部位は、前記画像形成領域の略中央と隅部とであることを特徴とする制御装置。
【請求項３】
請求項１又は請求項２に記載の制御装置において、
前記制御手段は、前記入出力特性に基づいて、前記複数部位での印加電圧範囲を設定する範囲設定部と、
設定された前記印加電圧範囲に基づいて、前記複数部位に対応する領域の駆動を制御する駆動制御部とを備えることを特徴とする制御装置。
【請求項４】
請求項１から請求項３のいずれかに記載の制御装置において、
前記制御手段は、
前記画像形成領域を複数の小領域に分割する領域分割部と、
前記領域分割部により分割された小領域のうち、前記複数部位が含まれない小領域の前記入出力特性を、前記記憶手段に記憶された前記各入出力特性に基づいて生成する特性生成部とを備えることを特徴とする制御装置。
【請求項５】
光源装置と、当該光源装置から射出された光束を変調する液晶パネルと、変調された前記光束を投射する投射光学装置とを備えたプロジェクターであって、
請求項１から請求項４のいずれかに記載の制御装置を備え、
前記光源装置、前記液晶パネル及び前記投射光学装置は、前記表示装置を構成し、
前記制御装置は、前記液晶パネルを制御することを特徴とするプロジェクター。
【請求項６】
請求項５に記載のプロジェクターにおいて、
前記光源装置から射出された光束を複数の色光に分離する色分離装置と、
前記複数の色光を合成する色合成装置とを備え、
前記液晶パネルは、前記色分離装置と前記色合成装置との間に、当該色分離装置により分離された前記複数の色光ごとに設けられ、
前記記憶手段は、前記液晶パネルごとに、複数の前記入出力特性を記憶し、
前記制御手段は、前記液晶パネルごとの複数の入出力特性に基づいて、前記各液晶パネルを制御することを特徴とするプロジェクター。
【発明の詳細な説明】
【技術分野】
【０００１】
本発明は、表示装置を制御する制御装置、及び、当該制御装置を備えるプロジェクターに関する
【背景技術】
【０００２】
従来、画像情報に応じた画像を表示する表示装置が知られている。このような表示装置として、液晶、有機ＥＬ（Electro-Luminescence）、プラズマ等の各種パネルを備えたディスプレイや、光源から射出された光束を液晶パネルにて変調し、当該変調された光束をスクリーン等の投射面上に投射して画像を表示するプロジェクターが挙げられる。
【０００３】
ここで、パネルへの印加電圧のレベルと、当該レベルの電圧を印加した際にパネルから射出される光の輝度とを関連付けた入出力特性には、パネル毎に個体差がある。
具体的に、液晶パネルが有する入出力特性としてのＶＴ（印加電圧−透過率）特性は、個体によってそれぞれ異なる。このため、入力される画像情報に応じた画像と、当該画像情報に基づいて液晶パネルにて形成される画像との階調ずれを生じさせないためには、当該ＶＴ特性を考慮した補正（例えば、ガンマ補正）を行う必要がある。
【０００４】
このような事情から、例えば、液晶パネルを用いたプロジェクターでは、製造時にＶＴ特性を輝度計等を用いて液晶パネルごとに測定し、測定データに基づいて作成された液晶パネルごとの補正用ＬＵＴ（Look Up Table）を保持させる方法が用いられていた（例えば、特許文献１参照）。これにより、プロジェクターは、画像形成時に補正用ＬＵＴに基づいて液晶パネルを駆動させることで、前述の階調ずれを抑制する。
【先行技術文献】
【特許文献】
【０００５】
【特許文献１】特開２００１−２３８２２７号公報
【発明の概要】
【発明が解決しようとする課題】
【０００６】
しかしながら、前述の各種パネルの入出力特性は、パネル毎に個体差があるだけでなく、画像を形成する領域（画像形成領域）の部位によっても異なる。例えば、画像形成領域の各画素からの射出光量が最大となる画像（白色画像）を形成しようとして、当該各画素に同じレベルの電圧を印加しても、射出光量が異なる部位が生じてしまう。これは、パネルの駆動時に、画像形成領域の中央に比べて周縁の温度が低くなる温度むらに起因するほか、液晶パネルでは、液晶層の厚さも要因となる。このような部位による射出光量の違いは、形成される画像に色むらや輝度むら等の劣化を生じさせるという問題がある。
【０００７】
本発明の目的は、画像の劣化を抑制することができる制御装置及びプロジェクターを提供することである。
【課題を解決するための手段】
【０００８】
前記した目的を達成するために、本発明の制御装置は、複数の画素により構成され、画像を形成する画像形成領域を有する表示装置を、入力される画像情報に応じて制御する制御装置であって、前記画像形成領域の複数部位にて予め測定され、印加電圧値と射出輝度とが関連付けられた入出力特性を、当該複数部位に応じてそれぞれ記憶する記憶手段と、前記各入出力特性に基づいて、前記画像形成領域の駆動を制御する制御手段とを備えることを特徴とする。
【０００９】
ここで、表示装置としては、液晶パネル、有機ＥＬ（Electro-Luminescence）パネル、ＰＤＰ（Plasma Display Panel）及びＣＲＴ（Cathode Ray Tube）等の各種表示デバイスを挙げることができる。このうち、液晶パネルが採用される場合には、入出力特性は、当該液晶パネルの印加電圧−透過率（ＶＴ）特性とすることができる。
【００１０】
本発明によれば、画像形成領域の複数部位にて予め測定された各入出力特性に応じて、当該画像形成領域の駆動が制御される。すなわち、当該画像形成領域において入出力特性が測定された部位に応じた領域では、最大輝度を示す際の電圧値（最大時電圧値）が求められる。これによれば、表示装置にて最大輝度の画像（白色画像）を表示する際に、画像形成領域における入出力特性が測定された各部位に応じた領域に、当該各部位の入出力特性により求められる最大時電圧値に応じた電圧を印加することにより、画像形成領域全体で１つの入出力特性が保持されている場合に比べ、形成される画像に輝度むらが生じることを抑制することができる。従って、表示装置にて形成される画像の劣化を抑制することができる。また、輝度が一層高い白色画像を形成することができるので、表示装置のコントラストを向上することができる。
【００１１】
本発明では、前記複数部位は、前記画像形成領域の略中央と隅部とであることが好ましい。
ここで、画像形成領域の中央と隅部とでは、前述の温度むら等により、入出力特性の差が大きく、形成される画像の中央と隅部とで輝度の差が生じ易い。これに対し、本発明では、画像形成領域の略中央と隅部とで予め測定された各入出力特性が記憶手段に記憶され、当該入出力特性に基づいて画像形成領域の駆動が制御されるので、形成される画像の中央と隅部とで輝度の差が生じることを抑制することができる。従って、画像の劣化を確実に抑制することができる。
【００１２】
本発明では、前記制御手段は、前記入出力特性に基づいて、前記複数部位での印加電圧範囲を設定する範囲設定部と、設定された前記印加電圧範囲に基づいて、前記複数部位に対応する領域の駆動を制御する駆動制御部とを備えることが好ましい。
本発明によれば、範囲設定部により、入出力特性に応じた印加電圧範囲、すなわち、最小輝度を示す際の印加電圧値（最小時電圧値）と、最大輝度を示す際の印加電圧値（最大時電圧値）とから印加電圧範囲が設定される。これによれば、駆動制御部が、当該印加電圧範囲に基づいて、画像情報として入力される画像信号の電圧変換を行うなどして、画像形成領域における入出力特性の各測定部位に応じた領域の駆動を制御することにより、当該各領域における輝度をほぼ揃えることができる。従って、形成される画像に輝度むらが生じることを一層確実に抑制することができ、当該画像の劣化をより確実に抑制することができる。
【００１３】
本発明では、前記制御手段は、前記画像形成領域を複数の小領域に分割する領域分割部と、前記領域分割部により分割された小領域のうち、前記複数部位が含まれない小領域の前記入出力特性を、前記記憶手段に記憶された前記各入出力特性に基づいて生成する特性生成部とを備えることが好ましい。
本発明によれば、特性生成部により、入出力特性が測定されていない小領域の入出力特性が、予め測定されて記憶された入出力特性に基づいて生成される。これによれば、制御手段（例えば、前述の駆動制御部）が、記憶手段に記憶された入出力特性、及び、生成された入出力特性に基づいて、画像形成領域の各小領域を駆動させることで、前述の輝度むらの発生をより一層確実に抑制することができる。従って、形成される画像の劣化をより一層確実に抑制することができる。
【００１４】
また、本発明のプロジェクターは、光源装置と、当該光源装置から射出された光束を変調する液晶パネルと、変調された前記光束を投射する投射光学装置とを備えたプロジェクターであって、前述の制御装置を備え、前記光源装置、前記液晶パネル及び前記投射光学装置は、前記表示装置を構成し、前記制御装置は、前記液晶パネルを制御することを特徴とする。
本発明によれば、前述の制御装置と同様の効果を奏することができる。
【００１５】
ここで、光源ランプ等を有する光源装置から射出された光束の中心軸に直交する面内の照度（面内照度）は、当該光束の面内照度を略均一にする均一照明装置を採用した場合でも、当該光束の中心軸近傍が高く、外縁に向かうほど低くなる場合がある。このような光束が液晶パネルの画像形成領域に入射すると、当該画像形成領域の中央の温度が高くなりやすく、また、周縁の温度が低くなりやすい。このため、画像形成領域に前述の温度むらが発生しやすく、これにより、形成される画像の中央と周縁とで輝度の差が大きくなる。これに対し、当該画像形成領域の複数部位で測定された入出力特性（この場合、印加電圧−透過率特性）に基づいて、制御手段が、液晶パネルの駆動を制御することにより、形成される画像に輝度むらが生じる場合でも、当該輝度むらを軽減することができる。従って、画像の劣化を好適に抑制することができる。
【００１６】
本発明では、前記光源装置から射出された光束を複数の色光に分離する色分離装置と、前記複数の色光を合成する色合成装置とを備え、前記液晶パネルは、前記色分離装置と前記色合成装置との間に、当該色分離装置により分離された前記複数の色光ごとに設けられ、前記記憶手段は、前記液晶パネルごとに、複数の前記入出力特性を記憶し、前記制御手段は、前記液晶パネルごとの複数の入出力特性に基づいて、前記各液晶パネルを制御することが好ましい。
【００１７】
本発明によれば、制御装置が、各色光をそれぞれ変調する各液晶パネルを、液晶パネルごとに記憶された複数の入出力特性に基づいて制御するので、当該各液晶パネルにより形成される画像に輝度むらが発生することを抑制することができる。そして、これにより、各画像光を合成する色合成装置により合成された画像に色むらが生じることを抑制することができる。従って、形成される画像の劣化を、一層好適に抑制することができる。
【図面の簡単な説明】
【００１８】
【図１】本発明の一実施形態に係るプロジェクターの構成を示す模式図。
【図２】前記実施形態における制御装置の構成を示すブロック図。
【図３】前記実施形態における画像形成領域におけるＶＴ特性の測定部位を示す図。
【図４】前記実施形態における各測定部位でのＶＴ特性の一部を示すグラフ。
【図５】前記実施形態における領域分割された画像形成領域を示す図。
【発明を実施するための形態】
【００１９】
以下、本発明の一実施形態について説明する。
〔プロジェクターの構成〕
図１は、本実施形態に係るプロジェクター１の構成を示す模式図である。
本実施形態に係るプロジェクター１は、内部に設けられた光源装置４１１から射出される光束を画像情報に応じて変調して画像光を形成し、当該画像光をスクリーン等の投射面（図示省略）上に拡大投射するものである。このプロジェクター１は、図１に示すように、外装筐体２、投射光学装置３、画像形成装置４及び制御装置５を備える。
また、これらの他に、プロジェクター１は、当該プロジェクター１内部を冷却する冷却ファン等で構成される冷却装置９１、及び、プロジェクター１内部の各構成部材に電力を供給する電源装置９２等を備え、これらは、外装筐体２内に配置されている。
【００２０】
〔外装筐体及び投射光学装置の構成〕
外装筐体２は、投射光学装置３、画像形成装置４及び制御装置５等を内部に収納配置するものであり、全体略直方体状に形成されている。
投射光学装置３は、画像形成装置４にて形成された画像光を、投射面上に結像させるとともに、当該画像光に係る画像を拡大投射する。この投射光学装置３は、筒状の鏡筒内に複数のレンズが収納された組レンズとして構成されている。このような投射光学装置３は、画像形成装置４とともに、本発明の表示装置を構成する。
【００２１】
〔画像形成装置の構成〕
画像形成装置４は、後述する制御装置５による制御の下、画像情報に応じた画像光を形成する光学装置である。この画像形成装置４は、外装筐体２の背面に沿って延出するとともに、外装筐体２の側面に沿って延出する平面視略Ｌ字形状を有している。このような画像形成装置４は、均一照明装置４１、色分離装置４２、リレー装置４３及び電気光学装置４４と、これら光学部品４１〜４４を内部に収納配置するとともに、投射光学装置３を所定位置で支持固定する光学部品用筐体４５とを備える。
【００２２】
均一照明装置４１は、後述する液晶パネル４４２の画像形成領域をほぼ均一に照明する。この均一照明装置４１は、光源装置４１１、一対のレンズアレイ４１２，４１３、偏光変換素子４１４及び重畳レンズ４１５を備える。
このうち、光源装置４１１は、光を射出する光源４１６、当該光源４１６から射出された光を反射して、所定位置に収束させる反射鏡４１７、及び、当該反射鏡４１７にて反射され収束される光束を照明光軸Ａに対して平行化する平行化レンズ４１８を備える。このような光源４１６としては、超高圧水銀ランプ等の光源ランプや、ＬＥＤ（Light Emitting Diode）等の固体光源を挙げることができる。
【００２３】
色分離装置４２は、ダイクロイックミラー４２１，４２２及び反射ミラー４２３を備え、リレー装置４３は、入射側レンズ４３１、リレーレンズ４３３及び反射ミラー４３２，４３４を備える。
電気光学装置４４は、３つのフィールドレンズ４４１と、３つの液晶パネル４４２（赤色光用、緑色光用及び青色光用の液晶パネルを、それぞれ４４２Ｒ，４４２Ｇ，４４２Ｂとする）と、３つの視野角補償板４４３と、色合成装置としての１つのクロスダイクロイックプリズム４４４とを備える。
このうち、各液晶パネル４４２は、液晶素子４４５と、当該液晶素子４４５を挟む入射側偏光板４４６及び射出側偏光板４４７とを備え、ノーマリーホワイト型の液晶パネルとして構成されている。これら各液晶パネル４４２は、詳しくは後述するが、それぞれ、アスペクト比４：３で、横縦１２８０×９６０画素により構成される画像形成領域ＰＡ（図３）を有する。
【００２４】
このような画像形成装置４では、均一照明装置４１により射出され、照明領域内の面内照度が均一化された光束は、色分離装置４２にてＲ（赤），Ｇ（緑），Ｂ（青）の３つの色光に分離される。これら分離された各色光は、対応する液晶パネル４４２にて画像情報に応じてそれぞれ変調され、色光毎の画像光が形成される。そして、色光毎の画像光は、クロスダイクロイックプリズム４４４にて合成され、投射光学装置３により投射面上に拡大投射される。
【００２５】
〔制御装置の構成〕
図２は、制御装置５の構成を示すブロック図である。
制御装置５は、プロジェクター１全体の動作を自律的に、或いは、使用者の操作に応じて制御する。例えば、制御装置５は、光源装置４１１の点灯を制御するほか、当該制御装置５は、プロジェクター１に入力される画像情報としての画像信号に応じた駆動信号を各液晶パネル４４２に出力して、当該画像情報に応じた画像を形成させる。このような制御装置５は、記憶手段６及び制御手段７を備える。
【００２６】
〔記憶手段の構成〕
記憶手段６は、ＲＯＭ（Read Only Memory）やフラッシュメモリー等で構成され、制御装置５での処理に必要な各種プログラム及びデータを記憶している。このような記憶手段６は、ＶＴ特性記憶部６１及びＬＵＴ記憶部６２を備える。
このうち、ＬＵＴ記憶部６２は、制御手段７の後述するＬＵＴ生成部７４により生成されたＬＵＴ（Look Up Table）を、液晶パネル４４２ごとに記憶する。なお、当該ＬＵＴについては、後に詳述する。
【００２７】
図３は、画像形成領域ＰＡにおけるＶＴ特性の測定部位Ｃ１〜Ｃ５を示す図である。図４は、各測定部位Ｃ１〜Ｃ５でのＶＴ特性（ＶＴカーブ）の一部を示すグラフである。
ＶＴ特性記憶部６１は、液晶パネル４４２ごとに、印加電圧レベルと、当該レベルの電圧が印加された際に液晶パネル４４２を透過する透過光量の入射光量に対する割合とを示す入出力特性である印加電圧−透過率特性（ＶＴ特性）を記憶している。このＶＴ特性記憶部６１は、液晶パネル４４２ごとに、画像形成領域ＰＡにおける複数部位のＶＴ特性を記憶している。
なお、ＶＴ特性記憶部６１は、本実施形態では図３に示すように、画像形成領域ＰＡの中央に位置する測定部位Ｃ１と、当該画像形成領域ＰＡの四隅近傍の４つの測定部位Ｃ２〜Ｃ５とでそれぞれ測定されたＶＴ特性（例えば、図４に示すＶＴカーブ）を、それぞれ記憶している。
【００２８】
〔制御手段の構成〕
図２に戻り、制御手段７は、ＣＰＵ（Central Processing Unit）等が実装された回路基板として構成され、記憶手段６に記憶されたプログラム及びデータに基づいて、プロジェクター１全体を制御する。この制御手段７は、領域分割部７１、ＶＴ特性生成部７２、範囲設定部７３、ＬＵＴ生成部７４、画像処理部７５及び駆動制御部７６を備える。
【００２９】
図５は、領域分割部７１により領域分割された画像形成領域ＰＡを示す図である。
領域分割部７１は、液晶パネル４４２の画像形成領域ＰＡを複数の小領域に分割する。この領域分割部７１は、本実施形態では、図５に示すように、横縦１６０×１２０画素を有する合計６４個の小領域に画像形成領域ＰＡを分割する。
【００３０】
図２に戻り、ＶＴ特性生成部７２は、本発明の特性生成部に相当する。このＶＴ特性生成部７２は、ＶＴ特性が記憶されていない小領域を抽出して、当該小領域のＶＴ特性を、ＶＴ特性記憶部６１に記憶されたＶＴ特性に基づいて生成する。
ここで、図５に示すように、座標（４８０，３６０）〜（７９９，５９９）の領域ＬＡ１と、座標（０，０）〜（３１９，２３９）の領域ＬＡ２と、座標（９６０，０）〜（１２７９，２３９）の領域ＬＡ３と、座標（０，７２０）〜（３１９，９５９）の領域ＬＡ４と、座標（９６０，７２０）〜（１２７９，９５９）の領域ＬＡ５とには、それぞれ前述の測定部位Ｃ１〜Ｃ５が含まれる。このため、これら各領域ＬＡ１〜ＬＡ５は、各測定部位Ｃ１〜Ｃ５にて測定されたＶＴ特性をそれぞれ有することとなるので、ＶＴ特性生成部７２は、画像形成領域ＰＡにおいて領域ＬＡ１〜ＬＡ５を除いた小領域のＶＴ特性を、測定部位Ｃ１〜Ｃ５のＶＴ特性に基づいて生成する。
【００３１】
具体的に、ＶＴ特性生成部７２は、領域ＬＡ２，ＬＡ３に挟まれる座標（３２０，０）〜（９５９，２３９）の領域ＭＡ１のＶＴ特性を、当該領域ＬＡ２，ＬＡ３のＶＴ特性、すなわち、測定部位Ｃ２，Ｃ３のＶＴ特性に基づいて生成する。同様に、ＶＴ特性生成部７２は、領域ＬＡ２，ＬＡ４に挟まれる座標（０，２４０）〜（３１９，７１９）の領域ＭＡ２と、領域ＬＡ２，ＬＡ３に挟まれる座標（９６０，２４０）〜（１２７９，７１９）の領域ＭＡ３と、領域ＬＡ４，ＬＡ５に挟まれる座標（３２０，７２０）〜（９５９，９５９）の領域ＭＡ４との各ＶＴ特性を、測定部位Ｃ２，Ｃ４、測定部位Ｃ３，Ｃ５及び測定部位Ｃ４，Ｃ５の各ＶＴ特性に基づいて、それぞれ生成する。
【００３２】
また、ＶＴ特性生成部７２は、領域ＬＡ１，ＬＡ２に挟まれる座標（３２０，２４０）〜（４７９，３５９）の領域ＭＡ５のＶＴ特性を、当該領域ＬＡ１，ＬＡ２のＶＴ特性、すなわち、測定部位Ｃ１，Ｃ２のＶＴ特性に基づいて生成する。同様に、ＶＴ特性生成部７２は、領域ＬＡ１，ＬＡ３に挟まれる座標（８００，２４０）〜（９５９，３５９）の領域ＭＡ６と、領域ＬＡ１，ＬＡ４に挟まれる座標（３２０，６００）〜（４７９，７１９）の領域ＭＡ７と、領域ＬＡ１，ＬＡ５に挟まれる座標（８００，６００）〜（９５９，７１９）の領域ＭＡ８との各ＶＴ特性を、測定部位Ｃ１，Ｃ３、測定部位Ｃ１，Ｃ４及び測定部位Ｃ１，Ｃ５の各ＶＴ特性に基づいて、それぞれ生成する。
【００３３】
加えて、ＶＴ特性生成部７２は、領域ＬＡ１，ＭＡ１に挟まれる座標（４８０，２４０）〜（７９９，３５９）の領域ＮＡ１のＶＴ特性を、当該領域ＬＡ１，ＭＡ１のＶＴ特性に基づいて生成する。同様に、ＶＴ特性生成部７２は、領域ＬＡ１，ＭＡ２に挟まれる座標（３２０，３６０）〜（４７９，５９９）の領域ＮＡ２と、領域ＬＡ１，ＭＡ３に挟まれる座標（８００，３６０）〜（９５９，５９９）の領域ＮＡ３と、領域ＬＡ１，ＭＡ４に挟まれる座標（４８０，６００）〜（７９９，７１９）の領域ＮＡ４との各ＶＴ特性を、領域ＬＡ１，ＭＡ２、領域ＬＡ１，ＭＡ３及び領域ＬＡ１，ＭＡ４の各ＶＴ特性に基づいて、それぞれ生成する。
これにより、画像形成領域ＰＡにおける各領域ＬＡ１〜ＬＡ５，ＭＡ１〜ＭＡ８，ＮＡ１〜ＮＡ４の各ＶＴ特性が設定される。
【００３４】
図２に戻り、範囲設定部７３は、ＶＴ特性に基づいて、階調制御可能な印加電圧範囲を、各領域ＬＡ１〜ＬＡ５，ＭＡ１〜ＭＡ８，ＮＡ１〜ＮＡ４ごとに設定する。すなわち、範囲設定部７３は、各領域ＬＡ１〜ＬＡ５，ＭＡ１〜ＭＡ８，ＮＡ１〜ＮＡ４のＶＴ特性に基づいて、最大透過率（最大輝度）を示す際の印加電圧値（最大時電圧値）と、最小透過率（最小輝度）を示す際の印加電圧値（最小時電圧値）とを算出し、これら各電圧値に基づいて、印加電圧範囲を領域ＬＡ１〜ＬＡ５，ＭＡ１〜ＭＡ８，ＮＡ１〜ＮＡ４ごとに設定する。
【００３５】
例えば、図４に示した各測定部位Ｃ１〜Ｃ５のＶＴ特性が記憶されている場合には、範囲設定部７３は、各領域ＬＡ１〜ＬＡ５の最大時電圧値を、階調Ｄ１〜Ｄ５に応じた電圧値とする。このように、各領域ＬＡ１〜ＬＡ５，ＭＡ１〜ＭＡ８，ＮＡ１〜ＮＡ４の最大時電圧値はそれぞれ異なる。
【００３６】
ＬＵＴ生成部７４は、範囲設定部７３により設定された各領域ＬＡ１〜ＬＡ５，ＭＡ１〜ＭＡ８，ＮＡ１〜ＮＡ４の印加電圧範囲に基づいて、画像形成領域ＰＡを形成する画素の座標と、印加電圧範囲とが関連付けられたＬＵＴを、液晶パネル４４２ごとに生成する。そして、ＬＵＴ生成部７４は、生成したＬＵＴを、ＬＵＴ記憶部６２に記憶させる。
画像処理部７５は、外部から受信される画像信号をデジタル変換し、当該画像信号を駆動制御部７６に出力する。
【００３７】
駆動制御部７６は、画像処理部７５から入力される画像信号を補正して、補正された画像信号を、各液晶パネル４４２に出力する。
例えば、駆動制御部７６は、予め記憶手段６に記憶されたガンマ値に応じたガンマ補正を行う。この際、駆動制御部７６は、ＬＵＴ記憶部６２に記憶された液晶パネル４４２ごとのＬＵＴを参照し、補正された階調（輝度）に応じた電圧値を前述の印加電圧範囲内で設定する。そして、駆動制御部７６は、当該電圧値に応じた電圧変換を画像信号に含まれるＲ用信号、Ｇ用信号及びＢ用信号のそれぞれに対して行い、当該各信号を、液晶パネル４４２Ｒ，４４２Ｇ，４４２Ｂにそれぞれ出力する。
【００３８】
これにより、各液晶パネル４４２にて白色画像を形成する際には、対応するＶＴ特性に基づいて設定された最大時電圧値に応じた電圧が、各液晶パネル４４２の画像形成領域ＰＡにおける領域ＬＡ１〜ＬＡ５，ＭＡ１〜ＭＡ８，ＮＡ１〜ＮＡ４にそれぞれ印加される。そして、略均一な赤色画像、緑色画像及び青色画像が、各液晶パネル４４２Ｒ，４４２Ｇ，４４２Ｂにより形成され、当該各色画像がプリズム４４４により合成されることで、輝度むら及び色むらが抑制された白色画像が形成される。
【００３９】
以上説明した本実施形態のプロジェクター１によれば、以下の効果がある。
各画像形成領域ＰＡにおける測定部位Ｃ１〜Ｃ５にて予め測定された各ＶＴ特性に応じて、制御手段７が当該各画像形成領域ＰＡの各画素の駆動を制御する。これによれば、白色画像を表示する際に、各画像形成領域ＰＡにおける測定部位Ｃ１〜Ｃ５に応じた領域ＬＡ１〜ＬＡ５に、当該各測定部位Ｃ１〜Ｃ５のＶＴ特性により求められる最大時電圧値に応じた電圧を印加することにより、画像形成領域ＰＡの中央（測定部位Ｃ１）で測定されたＶＴ特性のみが記憶されている場合に比べ、当該白色画像における輝度むらの発生を抑制することができる。従って、形成される画像の劣化を抑制することができる。
【００４０】
また、測定部位Ｃ１でのＶＴ特性に基づく最大時電圧値は、前述の階調Ｄ１に応じた電圧であるが、当該電圧の印加時における測定部位Ｃ２〜Ｃ５での輝度は、図４において示したように、最大輝度とならない。これに対し、各測定部位Ｃ２〜Ｃ５に応じた領域ＬＡ２〜ＬＡ５に、当該各測定部位Ｃ２〜Ｃ５のＶＴ特性に基づく階調Ｄ２〜Ｄ５に応じた電圧を印加することにより、各領域ＬＡ２〜ＬＡ５での輝度を出力可能な最大輝度とすることができる。従って、より輝度の高い白色画像を形成することができ、コントラストの向上を図ることができる。
【００４１】
ＶＴ特性記憶部６１に記憶されるＶＴ特性は、画像形成領域ＰＡの中央に位置する測定部位Ｃ１、及び、当該画像形成領域ＰＡの四隅に応じた測定部位Ｃ２〜Ｃ５でのＶＴ特性である。これによれば、ＶＴ特性の差が大きい画像形成領域ＰＡの中央と隅部とで予め測定された各ＶＴ特性に基づいて、当該画像形成領域ＰＡの駆動が制御されるので、形成される白色画像での輝度むらの発生を確実に抑制することができる。従って、形成される画像の劣化を確実に抑制することができる。
【００４２】
ここで、光源装置４１１からの光束の面内照度は、当該光束の中心軸近傍から外縁に向かうに従って低くなる傾向にあり、画像形成領域ＰＡの外縁に対して中央の温度は高くなりやすい。このため、画像形成領域ＰＡの中央と外縁とで、液晶分子の動作が異なり、これにより、形成される白色画像の中央と外縁とで輝度の差が大きくなる。
これに対し、画像形成領域ＰＡの中央と四隅とで測定されたＶＴ特性に基づいて、制御手段７が液晶パネル４４２の駆動を制御することにより、形成される画像に輝度むらが生じる場合でも、当該輝度むらを軽減することができる。従って、画像の劣化を好適に抑制することができる。
【００４３】
範囲設定部７３により、ＶＴ特性に基づいて各領域ＬＡ１〜ＬＡ５，ＭＡ１〜ＭＡ８，ＮＡ１〜ＮＡ４での印加電圧範囲が設定される。これによれば、駆動制御部７６が、当該印加電圧範囲に基づいて、入力される画像信号の電圧変換を行うことで、白色画像の形成時に各領域ＬＡ１〜ＬＡ５，ＭＡ１〜ＭＡ８，ＮＡ１〜ＮＡ４の透過率（輝度）をほぼ揃えることができる。従って、形成される白色画像に輝度むらが生じることを一層確実に抑制することができ、当該白色画像の劣化をより確実に抑制することができる。
【００４４】
ＶＴ特性生成部７２により、画像形成領域ＰＡにおいて測定部位Ｃ１〜Ｃ５に応じた領域ＬＡ１〜ＬＡ５以外の領域ＭＡ１〜ＭＡ８，ＮＡ１〜ＮＡ４のＶＴ特性が、当該測定部位Ｃ１〜Ｃ５のＶＴ特性に基づいて生成される。これによれば、駆動制御部７６が、各領域ＬＡ１〜ＬＡ５，ＭＡ１〜ＭＡ８，ＮＡ１〜ＮＡ４のＶＴ特性に基づいて、当該各領域ＬＡ１〜ＬＡ５，ＭＡ１〜ＭＡ８，ＮＡ１〜ＮＡ４の駆動を制御することができるので、前述の輝度むらの発生をより一層確実に抑制することができる。従って、形成される画像の劣化をより一層確実に抑制することができる。
【００４５】
制御手段７は、各液晶パネル４４２の画像形成領域ＰＡにおける測定部位Ｃ１〜Ｃ５にて予め測定されたＶＴ特性のうち、対応する画像形成領域ＰＡのＶＴ特性に基づいて、各液晶パネル４４２の駆動を制御する。これによれば、当該各液晶パネル４４２により形成される画像に輝度むらが生じることを抑制することができるので、プリズム４４４により合成される画像に、色むらが生じることを抑制することができる。従って、形成される画像の劣化を、一層好適に抑制することができる。
【００４６】
〔実施形態の変形〕
本発明は前述の実施形態に限定されるものではなく、本発明の目的を達成できる範囲での変形、改良等は本発明に含まれるものである。
前記実施形態では、画像形成領域ＰＡにてＶＴ特性が測定される測定部位Ｃ１〜Ｃ５は、それぞれ当該画像形成領域ＰＡの中央及び四隅に位置していたが、本発明はこれに限らない。例えば、画像形成領域ＰＡにおける中央と、４つの隅部のうちのいずれかの隅部とでもよい。この場合、当該隅部にて測定されたＶＴ特性を、画像形成領域ＰＡにおける周縁全体に適用させてもよい。更に、画像形成領域ＰＡをマトリクス状の小領域に分割し、当該各小領域にて測定されたＶＴ特性を記憶するようにしてもよい。すなわち、画像形成領域において、ＶＴ特性が測定される測定部位は互いに離間していれば位置は問わず、また、測定部位の数も適宜設定してよい。
【００４７】
前記実施形態では、測定部位Ｃ１〜Ｃ５を含まない領域ＭＡ１〜ＭＡ８，ＮＡ１〜ＮＡ４のＶＴ特性を、当該測定部位Ｃ１〜Ｃ５にて測定されたＶＴ特性に基づいて生成するとしたが、本発明はこれに限らない。すなわち、測定部位をそれぞれ含む小領域に画像形成領域を分割し、当該小領域に含まれる測定部位のＶＴ特性に基づいて、当該小領域の駆動を制御するようにしてもよい。また、当該領域ＭＡ１〜ＭＡ８，ＮＡ１〜ＮＡ４のＶＴ特性を、測定部位Ｃ１〜Ｃ５にて測定されたＶＴ特性に基づいて予め生成し、生成されたＶＴ特性をＶＴ特性記憶部６１に予め記憶させておく構成としてもよい。
【００４８】
前記実施形態では、各液晶パネル４４２は、横縦１２８０×９６０画素により構成される画像形成領域ＰＡを有するとしたが、本発明はこれに限らない。すなわち、画像形成領域の解像度は、適宜選択可能であり、アスペクト比１６：９でもよい。また、領域分割部７１は、当該画像形成領域ＰＡを横縦１６０×１２０画素の小領域に分割するとしたが、本発明はこれに限らず、小領域の解像度及び形状も適宜選択可能である。例えば、領域分割部７１は、画像形成領域ＰＡの中央を中心とする同心円状に、当該画像形成領域ＰＡを分割してもよい。
【００４９】
前記実施形態では、プロジェクター１は、３つの液晶パネル４４２Ｒ，４４２Ｇ，４４２Ｂを備えるとしたが、本発明はこれに限らない。すなわち、２つ以下、あるいは、４つ以上の液晶パネルを用いたプロジェクターにも、本発明を適用可能である。
前記実施形態では、画像形成装置４は平面視略Ｌ字形状を有する構成としたが、これに限らず、例えば、平面視略Ｕ字形状を有した構成を採用してもよい。
前記実施形態では、光束入射面と光束射出面とが異なる透過型の液晶パネル４４２を採用したが、光入射面と光射出面とが同一となる反射型の液晶パネルを用いてもよい。
前記実施形態では、画像光の投射方向と、当該画像光に係る画像の観察方向とが略同じであるフロントタイプのプロジェクターを例示したが、本発明はこれに限らず、投射方向と観察方向とがそれぞれ反対方向となるリアタイプのプロジェクターにも適用できる。
【００５０】
前記実施形態では、表示装置として、液晶パネル４４２を備えた画像形成装置４を挙げ、制御装置５が、当該液晶パネル４４２の駆動を制御するとしたが、本発明はこれに限らない。すなわち、本発明の制御装置は、液晶、有機ＥＬ、プラズマ及びＣＲＴ等の各種ディスプレイの駆動を制御する制御装置にも適用可能である。これらの場合、入出力特性は、印加電圧と輝度（射出光量）とが関連付けられた特性となる。
【産業上の利用可能性】
【００５１】
本発明は、各種表示パネルの駆動を制御する制御装置に好適に利用することができる。
【符号の説明】
【００５２】
１…プロジェクター、３…投射光学装置（表示装置）、４…画像形成装置（表示装置）、５…制御装置、６…記憶手段、７…制御手段、４２…色分離装置、７１…領域分割部、７２…ＶＴ特性生成部（特性生成部）、７３…範囲設定部、７６…駆動制御部、４１１…光源装置（光源）、４４２（４４２Ｒ，４４２Ｇ，４４２Ｂ）…液晶パネル、４４４…クロスダイクロイックプリズム（色合成装置）、ＰＡ…画像形成領域。
【図１】
2010224361.tif 000003
【図２】
2010224361.tif 000004
【図３】
2010224361.tif 000005
【図４】
2010224361.tif 000006
【図５】
2010224361.tif 000007